(57)【要約】【課題】  従来、説明書の他に添付されていた歯科材料の使用の手順が図と説明文によって分かりやすく解説された紙や合成樹脂製の説明用カードと同等の効果を得ることができ、説明用カードのように歯科医院等で紛失されてしまうことが無く、更には製品の製造において説明用カードのように製品を梱包する箱に１枚ずつ入れる必要もない歯科用材料収納用箱体を提供する。【解決手段】  上面開口部の二辺に、収納される歯科用材料の使用の手順を説明した複数の説明図及び該説明図に対応する説明文が一連の手順を示すように表面に表示されている二つのサイドフラップを備え、他の一辺に該上面開口部の蓋となるメインフラップとを備えた歯科用材料を収納する箱体であって、二つのサイドフラップの面積の合計が上面開口部の面積と略同一であることを特徴とする歯科用材料収納用箱体とする。【選択図】  図２
0003111191.tif 000002
【実用新案登録請求の範囲】
【請求項１】
上面開口部（２）の二辺に、収納される歯科用材料の使用の手順を説明した複数の説明図（５）及び該説明図（５）に対応する説明文（５ａ）が一連の手順を示すように表面に表示されている二つのサイドフラップ（４，４）を備え、他の一辺に該上面開口部（２）の蓋となるメインフラップ（３）とを備えた歯科用材料を収納する箱体（１）であって、二つのサイドフラップ（４，４）の面積の合計が上面開口部（２）の面積と略同一であることを特徴とする歯科用材料収納用箱体。
【請求項２】
四辺形をした上面開口部（２）の相対する二辺に、収納される歯科用材料の使用の手順を説明した複数の説明図（５）及び該説明図（５）に対応する説明文（５ａ）が一連の手順を示すように表面に表示されている二つのサイドフラップ（４，４）を備え、他の一辺に該上面開口部（２）の蓋となるメインフラップ（３）とを備えた歯科用材料を収納する箱体（１）であって、二つのサイドフラップ（４，４）の面積の合計が上面開口部（２）の面積と略同一であることを特徴とする歯科用材料収納用箱体。
【考案の詳細な説明】
【技術分野】
【０００１】
本考案は、歯科医院や歯科技工所で使用する歯科用材料を収納するための箱体に関する。
【背景技術】
【０００２】
歯科治療用の接着剤，セメント等に代表される歯科医院で使用される歯科用材料や、陶材，硬質レジン歯作製用材料等の歯科技工所で使用される歯科用材料は、歯科用接着剤であれば、例えば「歯面の乾燥」→「処理液塗布後１０秒放置」→「接着剤塗布」→「エアーで乾燥」→「光照射１０秒」等のように、その使用時の一連の操作手順に関する指示が詳細に定められている。
【０００３】
更に歯科用材料が単品ではなく、例えば処理液が複数付属されていてその使用の順序が症例によって異なったり、全ての処理液等の付属製品を使用しない場合は使用手順が異なる等、その使用方法は煩雑である。通常、歯科用材料の使用方法に関する情報は製品に添付されている説明書に詳細に記載されているが、説明書は情報量が多いため歯科用材料を収納している箱よりも大きく、殆どが畳まれて添付されている。そのため、歯科医師等が歯科用材料を使用する際に、実際に説明書を開いて内容を参照し使用方法を確認しながら作業が行われることは殆ど無かった。そのため操作ミスによる不完全な治療が行われてしまう虞があった。
【０００４】
そこで従来の歯科用材料の製品には、説明書の他に使用の手順が概略図等と説明文によって分かりやすく解説された例えば図１に示したような紙や合成樹脂製の「説明用カード」が添付されていることが多かった。
【０００５】
また例えば、歯科用セメントでは粉体成分と液体成分との計量作業と混合練和した後の歯牙修復用材料を修復すべき部位に投与するためのシリンジ内へ収納する作業が省略でき、更に混合したセメント練和物をノズルを介して歯牙の窩洞等の修復すべき部位に直接押し出して投与することができる歯牙修復材用カプセルが使用されている（例えば、特許文献１〜３参照）。
【０００６】
このカプセルの使用方法は、先ずカプセル本体の混合区画室の後端側に嵌合されている液体カップの後端側に嵌合されているプランジャーを指等でその先端が液体カップの先端部内面に当って停止するまで押し込むことでセメント液をセメント粉の収納されている混合区画室に完全に流入させた後、カプセルを別途専用のミキサーに装着してセメント液とセメント粉とを混合練和して混合練和物とする。その後、専用のアプライヤーに装着してカプセル先端部のノズルを患者の窩洞等の歯牙修復部位に押し当て、アプライヤーを操作して液体カップと一体化したプランジャーをカプセル本体内で先端方向に更に移動させ混合物をノズルから押し出して歯牙修復部位に適用する。
【０００７】
このカプセルにおいても使用方法が難しいので、説明書で指示しただけでは術者が使用の際に例えばミキサーやアプライヤーへのカプセルの装着方法を間違えたり、その操作を迷う虞がある。そのため説明書の他に、使用の手順や方法を簡単に記載した説明用カードが添付されていた。このように歯科用材料の多くには説明書の他にも使用の手順を解説したカードが添付されていた。
【０００８】
しかしながら、実際にはこの説明用カードは歯科医院等で紛失されてしまうことが多く、更に製品の製造において製品を収納する箱に１枚ずつ入れることにコストがかかるという問題があった。
【０００９】
【特許文献１】特開平08-131459号公報
【特許文献２】特開2001-104339号公報
【特許文献３】特開2002-191622号公報
【考案の開示】
【考案が解決しようとする課題】
【００１０】
そこで本考案は、従来では説明書の他に添付されていた歯科用材料の使用の手順が図と説明文によって分かりやすく解説された紙や合成樹脂製の説明用カードと同等の効果を得ることができ、説明用カードのように歯科医院等で紛失されてしまうことが少なく、更には製品の製造において説明用カードのように製品を梱包する箱に１枚ずつ入れる必要もない歯科用材料収納用箱体を提供することを課題とする。
【課題を解決するための手段】
【００１１】
本考案者等は課題を解決するために鋭意検討し、歯科用材料は主に紙製の箱に単品または付属品等と共にセットで収納された状態で販売され、その殆どが歯科医院や歯科技工所に購入された後も販売時の箱に収納されたまま保管されていることに着目した。その結果、この歯科用材料を収納する箱の蓋の内側にあるサイドフラップ表面に従来の説明用カードと同等の情報を示せば紛失されてしまうことが無く歯科材料の使用時には必ず目にすることができ、更に製品の製造においても製品を梱包する箱に１枚ずつ入れる必要もないことを究明し本考案を完成したのである。
【００１２】
即ち本考案は、上面開口部の二辺に、収納される歯科用材料の使用の手順を説明した複数の説明図及び該説明図に対応する説明文が一連の手順を示すように表面に表示されている二つのサイドフラップを備え、他の一辺に該上面開口部の蓋となるメインフラップとを備えた歯科用材料を収納する箱体であって、二つのサイドフラップの面積の合計が上面開口部の面積と略同一であることを特徴とする歯科用材料収納用箱体である。
【００１３】
更に好ましくは、四辺形をした上面開口部の相対する二辺に、収納される歯科用材料の使用の手順を説明した複数の説明図及び該説明図に対応する説明文が一連の手順を示すように表面に表示されている二つのサイドフラップを備え、他の一辺に該上面開口部の蓋となるメインフラップとを備えた歯科用材料を収納する箱体であって、二つのサイドフラップの面積の合計が上面開口部の面積と略同一であることを特徴とする歯科用材料収納用箱体である。
【考案の効果】
【００１４】
本考案に係る歯科用材料収納用箱体は、従来では説明書の他に添付されていた歯科用材料の使用の手順が図と説明文によって分かりやすく解説された紙や合成樹脂製の説明用カードを同包しなくても、それと同等の効果を得ることが可能な優れた歯科用材料収納用箱体である。
【考案を実施するための最良の形態】
【００１５】
以下、図面により本考案に係る歯科用材料収納用箱体について詳細に説明する。
図１は従来の説明用カードの一例を示す説明図。図２は本考案に係る歯科用材料収納用箱体の実施例を示す説明用斜視図。図３は本考案に係る歯科用材料収納用箱体の開口部を上面方向から見た状態を示す説明用上面斜視図である。
【００１６】
図面中の１は、本考案に係る歯科用材料収納用箱体の本体である箱体であり、この箱体（１）内に歯科用材料が収納され、販売，保管される。箱体（１）は、使用や保管する状態で置いたときにその上面のみが開口する構造を持つ箱であり、好ましくは直方体または立方体の容器である。
【００１７】
図面中の２は、箱体（１）の上面開口部であり、収納される歯科用材料はこの上面開口部（２）から出し入れされる。上面開口部（２）の二辺には、それぞれ箱体の内側へ向かって折れる二つのサイドフラップ（４，４）を備え、他の一辺には上面開口部（２）の蓋となるメインフラップ（３）を備える。上面開口部（２）は四辺形をしていることが好ましく、また、サイドフラップ（４，４）は相対する二辺に備えていることが好ましい。
【００１８】
図面中の３であるメインフラップは、箱体（１）の上面開口部（２）の蓋であり、その蓋部（３ａ）の辺には一般的な箱と同様に差込み部（３ｂ）を備えていても良い。
【００１９】
上面開口部（２）の相対する二辺に備わる箱体の内側へ向かって折れる二つのサイドフラップ（４，４）は、通常であれば箱体（１）の強度確保とメインフラップ（３）が箱体（１）の内部に入り込むことを防ぐ役割のみなので、二つのサイドフラップ（４，４）を箱体（１）の側面と直角（箱体の底面または蓋と平行）にした状態で、二つの合計が大きくても上面開口部（２）の２０〜４０％程度を覆う面積である。しかし、本考案に係る歯科用材料収納用箱体では、従来は説明用カードとして提供していた使用の手順情報をこれらのサイドフラップ（４，４）面に表示するために上面開口部（２）の殆ど全体を覆う大きさであることが必要であるため、二つのサイドフラップ（４，４）の面積の合計が上面開口部（２）の面積と略同一であることが必要である。どちらのサイドフラップ（４，４）が上面にきても後述する説明図及び説明文が表示されていれば、サイドフラップ（４，４）の一部が重なり合っていても良い。
【００２０】
本考案係る歯科用材料収納用箱体においては、サイドフラップ（４，４）は二つであることが重要であり、一つのサイドフラップ（４）で上面開口部（２）を覆うと、サイドフラップ（４）が大きすぎるので歯科用材料収納用箱体から歯科用材料を出し入れし難い。一方、三以上であると歯科用材料を取り出す際に多くのサイドフラップ（４，４，４）を異なる方向へ捲らなければならないので使用し難い。
【００２１】
サイドフラップ（４，４）の表面には、収納される歯科用材料の使用方法の手順が必要とされる操作毎に複数の説明図（５）とその説明図（５）に対応した説明文（５ａ）とにより表示されている。表示の手段は印刷やシール等の方法で特に制限されることなく行うことができるが、歯科用材料収納用箱体が一般的に紙製であることから歯科用材料収納用箱体への製品デザインの印刷と同時に印刷する方法が最も効率がよいので好ましい。
【００２２】
また、説明図（５）と説明文（５ａ）とは、両サイドフラップ（４，４）を通して二つのサイドフラップ（４，４）で意味をなすように一連の手順を示して表示されている。例えば、図３に示したように左のサイドフラップ（４）から右のサイドフラップ（４）へ向かって、手順「Ａ→Ｂ→Ｃ」を左サイドフラップ（４）に表示し、残りの手順「Ｄ→Ｅ」を右サイドフラップ（４）へ表示する等の方法で両サイドフラップ（４，４）に一連の流れとして表示されていることが必要である。なお、図３の実施例においては、手順Ａ〜Ｅと同時に、手順１〜７も二つのサイドフラップ（４，４）に渡って同時に表示されている。
【００２３】
図示しないが一つの説明図が二つのサイドフラップ（４，４）に分割されて表示されていても良いし、また、右のサイドフラップ（４）から左のサイドフラップ（４）へ向かって表示されていたり、左から右のサイドフラップ（４）に表示した後、再び左のサイドフラップ（４）に戻るような表示でも良いのは当然である。
【図面の簡単な説明】
【００２４】
【図１】従来の説明用カードの一例を示す説明図。
【図２】本考案に係る歯科用材料収納用箱体の実施例を示す説明用斜視図。
【図３】本考案に係る歯科用材料収納用箱体の開口部を上面方向から見た状態を示す説明用上面斜視図。
【符号の説明】
【００２５】
１  箱体
２  上面開口部
３  メインフラップ
３ａ  蓋部
３ｂ  差込み部
４  サイドフラップ
５  説明図
５ａ説明文
【図１】
0003111191.tif 000003
【図２】
0003111191.tif 000004
【図３】
0003111191.tif 000005
【手続補正書】
【提出日】平成17年3月29日(2005.3.29)
【手続補正１】
【補正対象書類名】図面
【補正対象項目名】図１
【補正方法】変更
【補正の内容】
【図１】
0003111191.tif 000006
【手続補正２】
【補正対象書類名】図面
【補正対象項目名】図３
【補正方法】変更
【補正の内容】
【図３】
0003111191.tif 000007